(57)【要約】【課題】PoEのみで動作する端末の場合に、通信可能となる前に無効な電力消費が発生してしまうのを防止する。【解決手段】外部装置とLANケーブルを介して通信可能に接続されるPoE給電装置であって、前記外部装置に前記LANケーブルを介して電力を供給する電力供給手段と、前記外部装置との通信制御を行う通信制御手段と、前記外部装置は前記LANケーブルを介して電力を供給されることができる否かを判定する供給可否判定手段とを有し、前記通信制御手段は、前記供給可否判定手段により、前記外部装置は前記LANケーブルを介して電力を供給されることが可能であると判定された場合、前記外部装置へのリンクパルスの送信を停止し、一定時間が経過した後に、前記外部装置へのリンクパルスの送信を行い、前記外部装置との前記LANケーブルを介した通信の確立を開始する。【選択図】図１
2014207530.tif 000002
【特許請求の範囲】
【請求項１】
外部装置とLANケーブルを介して通信可能に接続されるPoE給電装置であって、
前記外部装置に前記LANケーブルを介して電力を供給する電力供給手段と、
前記外部装置との通信制御を行う通信制御手段と、
前記外部装置は前記LANケーブルを介して電力を供給されることができる否かを判定する供給可否判定手段とを有し、
前記通信制御手段は、
前記供給可否判定手段により、前記外部装置は前記LANケーブルを介して電力を供給されることが可能であると判定された場合、前記外部装置へのリンクパルスの送信を停止し、
一定時間が経過した後に、前記外部装置へのリンクパルスの送信を行い、前記外部装置との前記LANケーブルを介した通信の確立を開始することを特徴とするPoE給電装置。
【請求項２】
前記通信制御手段は、
前記供給可否判定手段により、前記外部装置が前記LANケーブルを介して電力を供給されることができないと判定された場合には、すぐに前記外部装置との前記LANケーブルを介した通信の確立を開始することを特徴とする請求項１に記載のPoE給電装置。
【請求項３】
外部装置とLANケーブルを介して通信可能に接続されるPoE給電装置であって、
前記外部装置に前記LANケーブルを介して電力を供給する電力供給手段と、
前記外部装置の起動時間を記憶する記憶手段と、
前記外部装置との通信制御を行う通信制御手段と、
前記外部装置を前記LANケーブルを介して電力を供給されることができる否かを判定する供給可否判定手段とを有し、
前記通信制御手段は、
前記供給可否判定手段により、前記外部装置は前記LANケーブルを介して電力を供給されることが可能であると判定された場合、前記外部装置へのリンクパルスの送信を停止し、
前記電力供給手段による電力の供給が開始されてから前記記憶手段により記憶された起動時間が経過した後に、前記外部装置との前記LANケーブルを介した通信の確立を開始することを特徴とするPoE給電装置。
【請求項４】
前記外部装置との前記LANケーブルを介した通信が可能な状態であるか否かを判定する通信可否判定手段と、
前記電力供給手段による電力の供給が開始されてから、前記通信可否判定手段が前記可能な状態であると判定するまで、計測する計測手段とを有し、
前記通信制御手段は、
前記計測手段により計測された時間を前記起動時間として前記LANケーブルを介した通信の確立を開始することを特徴とする請求項３に記載のPoE給電装置。
【請求項５】
前記外部装置は、起動すると通信の確立が可能となる通信制御部と、当該通信制御部の起動の後に起動する撮像部とを含む撮像装置であり、
前記起動時間は、前記撮像部が起動するまでの時間であることを特徴とする請求項３または４に記載のPoE給電装置。
【請求項６】
外部装置とLANケーブルを介して通信可能に接続されるPoE給電装置であって、
前記外部装置に前記LANケーブルを介して電力を供給する電力供給手段と、
前記電力供給手段による電力の供給が開始されてから一定時間が経過した後に、前記外部装置との前記LANケーブルを介した通信の確立を開始する通信制御手段と、
前記外部装置が動作停止したこと、または前記LANケーブルから抜かれたことを検出する検出手段とを備え、
前記通信制御手段は、前記検出手段が前記外部装置が動作停止したこと、または前記LANケーブルから抜かれたことを検出した場合には、前記外部装置へのリンクパルスの送信を停止することを特徴とするPoE給電装置。
【請求項７】
外部装置とLANケーブルを介して通信可能に接続されるPoE給電装置の制御方法であって、
前記外部装置に前記LANケーブルを介して電力を供給する電力供給工程と、
前記外部装置との通信制御を行う通信制御工程と、
前記外部装置は前記LANケーブルを介して電力を供給されることができる否かを判定する供給可否判定工程とを有し、
前記通信制御工程は、
前記供給可否判定工程において、前記外部装置は前記LANケーブルを介して電力を供給されることが可能であると判定された場合、前記外部装置へのリンクパルスの送信を停止し、
一定時間が経過した後に、前記外部装置へのリンクパルスの送信を行い、前記外部装置との前記LANケーブルを介した通信の確立を開始することを特徴とするPoE給電装置の制御方法。
【請求項８】
外部装置とLANケーブルを介して通信可能に接続されるPoE給電装置の制御方法であって、
前記外部装置に前記LANケーブルを介して電力を供給する電力供給工程と、
前記外部装置の起動時間を記憶部に記憶する記憶工程と、
前記外部装置との通信制御を行う通信制御工程と、
前記外部装置を前記LANケーブルを介して電力を供給されることができる否かを判定する供給可否判定工程とを有し、
前記通信制御工程は、
前記供給可否判定工程において、前記外部装置は前記LANケーブルを介して電力を供給されることが可能であると判定された場合、前記外部装置へのリンクパルスの送信を停止し、
前記電力供給工程による電力の供給が開始されてから前記記憶部に記憶された起動時間が経過した後に、前記外部装置との前記LANケーブルを介した通信の確立を開始することを特徴とするPoE給電装置の制御方法。
【請求項９】
外部装置とLANケーブルを介して通信可能に接続されるPoE給電装置の制御方法であって、
前記外部装置に前記LANケーブルを介して電力を供給する電力供給工程と、
前記電力供給工程による電力の供給が開始されてから一定時間が経過した後に、前記外部装置との前記LANケーブルを介した通信の確立を開始する通信制御工程と、
前記外部装置が動作停止したこと、または前記LANケーブルから抜かれたことを検出する検出工程とを備え、
前記通信制御工程は、前記検出工程が前記外部装置が動作停止したこと、または前記LANケーブルから抜かれたことを検出した場合には、前記外部装置へのリンクパルスの送信を停止することを特徴とするPoE給電装置の制御方法。
【請求項１０】
外部装置とLANケーブルを介して通信可能に接続されるPoE給電装置の制御方法をコンピュータに実行させるプログラムであって、
前記外部装置に前記LANケーブルを介して電力を供給する電力供給工程と、
前記外部装置との通信制御を行う通信制御工程と、
前記外部装置は前記LANケーブルを介して電力を供給されることができる否かを判定する供給可否判定工程とをコンピュータに実行させ、
前記通信制御工程は、
前記供給可否判定工程において、前記外部装置は前記LANケーブルを介して電力を供給されることが可能であると判定された場合、前記外部装置へのリンクパルスの送信を停止し、
一定時間が経過した後に、前記外部装置へのリンクパルスの送信を行い、前記外部装置との前記LANケーブルを介した通信の確立を開始するようにコンピュータを制御することを特徴とするプログラム。
【請求項１１】
外部装置とLANケーブルを介して通信可能に接続されるPoE給電装置の制御方法をコンピュータに実行させるプログラムであって、
前記外部装置に前記LANケーブルを介して電力を供給する電力供給工程と、
前記外部装置の起動時間を記憶部に記憶する記憶工程と、
前記外部装置との通信制御を行う通信制御工程と、
前記外部装置を前記LANケーブルを介して電力を供給されることができる否かを判定する供給可否判定工程とをコンピュータに実行させ、
前記通信制御工程は、
前記供給可否判定工程において、前記外部装置は前記LANケーブルを介して電力を供給されることが可能であると判定された場合、前記外部装置へのリンクパルスの送信を停止し、
前記電力供給工程による電力の供給が開始されてから前記記憶部に記憶された起動時間が経過した後に、前記外部装置との前記LANケーブルを介した通信の確立を開始するようにコンピュータを制御することを特徴とするプログラム。
【請求項１２】
外部装置とLANケーブルを介して通信可能に接続されるPoE給電装置の制御方法をコンピュータに実行させるプログラムであって、
前記外部装置に前記LANケーブルを介して電力を供給する電力供給工程と、
前記電力供給工程による電力の供給が開始されてから一定時間が経過した後に、前記外部装置との前記LANケーブルを介した通信の確立を開始する通信制御工程と、
前記外部装置が動作停止したこと、または前記LANケーブルから抜かれたことを検出する検出工程とをコンピュータに実行させ、
前記通信制御工程は、前記検出工程が前記外部装置が動作停止したこと、または前記LANケーブルから抜かれたことを検出した場合には、前記外部装置へのリンクパルスの送信を停止するようにコンピュータを制御することを特徴とするプログラム。
【請求項１３】
請求項１０〜１２の何れか１項に記載のプログラムを記憶したことを特徴とするコンピュータ読み取り可能な記憶媒体。
【発明の詳細な説明】
【技術分野】
【０００１】
本発明はPoE給電装置及びPoE給電装置の制御方法に関し、特に、通信機能を有するPoE給電装置（ＰＳＥ）とPoE端末（PD）との通信リンクを確立する際に用いて好適な技術に関するものである。
【背景技術】
【０００２】
監視市場の拡大とともにネットワークカメラの需要が拡大している。ネットワークカメラは工事の簡略化、設置の容易性からPoE（Power over Ethernet（登録商標））機能を備えるものも多い。PoEはIEEE802.3atとして規格化されている。
【０００３】
また、LAN上で通信していない間Link-Pulseの送出を止めて消費電力を低減する技術もIEEE802.3azとして規格化されている。IEEE802.3atは、Powerリンクの規格であり、IEEE802.3azは通信リンクの規格であり、両者は独立したものである。
【０００４】
電源を起動させることが可能な第１のネットワークで外部機器の電源を立ち上げた後に第２のネットワークによりコマンドを送信して外部機器の制御を行う技術が特許文献１で開示されている。
【先行技術文献】
【特許文献】
【０００５】
【特許文献１】特開２０１０−２０６６７５号公報
【発明の概要】
【発明が解決しようとする課題】
【０００６】
しかしながら、PoEのみで動作する装置の場合、実際の通信が可能となる前に通信リンクが確立され、この通信リンクで無駄に電力を消費していた。IEEE802.3azの規格は、通信リンク確立後の通信トラフィック量に応じて適宜Link-Pulseの送出を止める技術であり、PoE端末起動時の挙動は考慮されていない。
【０００７】
また、前述の特許文献１に開示された従来技術は、電源の起動に関するものでLANを介した電源供給に関するものでは無かった。
本発明は前述の問題点に鑑み、PoEのみで動作する端末の場合に、通信可能となる前に無効な電力消費が発生してしまうのを防止することを目的とする。
【課題を解決するための手段】
【０００８】
本発明のPoE給電装置は、外部装置とLANケーブルを介して通信可能に接続されるPoE給電装置であって、前記外部装置に前記LANケーブルを介して電力を供給する電力供給手段と、前記外部装置との通信制御を行う通信制御手段と、前記外部装置は前記LANケーブルを介して電力を供給されることができる否かを判定する供給可否判定手段とを有し、前記通信制御手段は、前記供給可否判定手段により、前記外部装置は前記LANケーブルを介して電力を供給されることが可能であると判定された場合、前記外部装置へのリンクパルスの送信を停止し、一定時間が経過した後に、前記外部装置へのリンクパルスの送信を行い、前記外部装置との前記LANケーブルを介した通信の確立を開始することを特徴とする。
【発明の効果】
【０００９】
本発明によれば、PDの起動時間を加味して通信リンクを確立することにより、PDからのデータ送信前のリンク確立状態で消費する電力を省くことが可能となり、低消費電力化が可能となる。
【図面の簡単な説明】
【００１０】
【図１】本発明の実施形態を示し、電力供給システムの構成例を示すブロック線図である。
【図２】電源制御システムの構成例を示す図である。
【図３】第１の実施形態にかかわる電力供給装置の動作手順を説明するフローチャートである。
【図４】PDとPoE給電装置のシステム制御手順の一例を示すシーケンス図である。
【図５】電力供給装置の供給電圧とLink-Pulse停止時間との相関を示す図である。
【図６】Non-PDとPoE給電装置のシステム制御手順の一例を示すシーケンス図である。
【図７】第２の実施形態を示し、電力供給システムの構成例を示すブロック線図である。
【図８】第２の実施形態のPort情報記憶部の構成例を示す図である。
【図９】通信確立までのシーケンスを説明する図である。
【図１０】第２の実施形態の電力供給装置の動作手順を説明するフローチャートである。
【図１１】PoE対応ネットワークカメラの構成例を示すブロック線図である。
【図１２】第３の実施形態を示し、電力供給装置の動作手順を説明するフローチャートである。
【発明を実施するための形態】
【００１１】
以下に、本発明の好ましい実施形態を、添付の図面に基づいて詳細に説明する。図１は、本発明の実施形態にかかわる電力供給システムの構成例を説明するブロック線図、図２はシステムの構成例を示す図である。
【００１２】
図３は、本発明の第１の実施形態にかかわる電力供給装置の動作手順を説明するフローチャート、図４はシステム制御手順の一例を示すシーケンス図（PD（Powered Device端末）の場合）である。図５は電力供給装置の供給電圧とLink-Pulse停止時間との相関を示す図であり、図６はシステム制御手順の一例を示すシーケンス図（Non-PDの場合）である。
【００１３】
図７は、第２の実施形態の電力供給システムの構成例を示すブロック線図であり、図８は第２の実施形態のPort情報記憶部の構成例を示す図である。図９は、通信確立までのシーケンスを説明する図であり、図１０は第２の実施形態の電力供給装置の動作手順を説明するフローチャート、図１１はPoE対応のネットワークカメラの構成例を示す図である。図１２は、第３の実施形態の電力力供給装置の動作手順を説明するフローチャートである。
【００１４】
（第１の実施形態）
以下、図１〜図６を参照して、本発明の第1の実施形態による、電力供給装置の動作について説明する。
図１は、本実施形態の電力供給システムの構成例を示すブロック線図である。
図１において、１０１は通信機能と電力供給機能を持つPoE給電装置（PoE-Hub、以下ＰＳＥ（Power Sourcing Equipment）とする）である。１０２ａは第１の通信制御部、１０２ｂは第ｎの通信制御部であり、ＰＳＥ１０１で行う通信の制御を行う。
【００１５】
１０３ａは第１のPoE制御部、１０３ｂは第nのPoE制御部であり、接続された第１の外部装置１０９ａ、第ｎの外部装置１０９ｂの検出、電力供給を制御する。１０４aは第１の時間計測部、１０４ｂは第ｎの時間計測部であり、ＰＳＥ１０１において行われる各処理の時間を計測する。１０５ａは第１の電力供給部（Pulse-Trans）、１０５ｂは第ｎの電力供給部であり、ＰｏＥ制御部１０３で発生した電圧を空き線、または通信線に重畳するためのものである。１０６ａは第１の通信Port（RJ45）、１０６ｂは第ｎの通信Port（RJ45）である。
【００１６】
ＰＳＥ１０１は、第１〜ｎの通信制御部１０２、第１〜ｎのPoE制御部１０３、第１〜ｎの時間計測部１０４、第１〜ｎの電力供給部１０５、第１〜ｎの通信Port１０６を持つ複数（N≧1）の通信モジュール１０７ａ、１０７ｂから構成される。１０８ａ、１０８ｂはＬＡＮケーブル、１０９ａ、１０９ｂは外部装置（ネットワークカメラ）である。１０９ａ、１０９ｂはＬＡＮケーブル１０８を介してＰＳＥ１０１に通信可能に接続される。
【００１７】
図２は、システムの構成例を示す図であり、ＰＳＥ１０１に接続される外部装置１０９はPoE給電で動作するPD２０２と自己の電源で動作するNon-PD２０３の２種類が存在する。PD２０２に対しては、ＰＳＥ１０１から電力と通信機能の確立を提供する。それに対して、Non-PD２０３に対してはＰＳＥ１０１から通信機能の確立のみが提供される。
【００１８】
次に、図３のフローチャートを参照しながら、本実施形態の電力供給装置の動作手順を説明する。このフローチャートの処理は、図示しないＲＯＭに記憶されたプログラムをＲＡＭに展開し、ＣＰＵが実行することにより実現する。
ＰＳＥ１０１は、起動されると通信制御部１０２から通信Port１０６の信号線に対してLink-Pulse（リンクパルス）の送信を開始する（Ｓ３０１）。
次に、ＰＳＥ１０１は、PoE制御部１０３から通信Port１０６の信号線、または空き線に対して検出電圧（Vdet）を時間Tdet印加し接続された外部装置１０９の検出を開始する（Ｓ３０２）。PoE制御部１０３で発生した検出電圧（Vdet）は、電力供給部１０５で信号線、または空き線に重畳される。
【００１９】
Ｓ３０２の処理で外部装置１０９の検出が無い場合は一定周期で検出電圧（Vdet）を時間Tdet印加し、外部装置１０９の接続検出を続ける（Ｓ３０３）。この間は、Link-Pulseの送信（Ｓ３０１）は継続される。
【００２０】
Ｓ３０３で外部装置１０９が検出された場合、検出電圧（Vdet）に対する電流値を測定し、接続された外部装置１０９が有効なPD２０２であるか、無効なPD（Non-PD）２０３であるかを判定する供給可否判定処理を行う（Ｓ３０４）。
【００２１】
Ｓ３０４で接続された外部装置１０９がNon-PD２０３の場合、ＰＳＥ１０１はLink-Pulseの送信（Ｓ３０１）は継続し、通信リンクの確立（Link-up）を行う（Ｓ３１０）。
Ｓ３０４で接続された外部装置１０９が有効なPD２０２である場合、ＰＳＥ１０１は通信制御部１０２からのLink-Pulse送信を停止し、時間計測部１０４を起動する（Ｓ３０５）。ＰＳＥ１０１は、Link-Pulse送信を停止中にPD２０２のクラス検出処理（Ｓ３０６）を実施し、電力供給を開始する（Ｓ３０７）。Ｓ３０６のクラス検出処理とは、時間Tclassの間電圧Vclassを印加してVclassに対応した電流を検出することでPD２０２の要求電力を検出する処理である。
【００２２】
Ｓ３０５で一定時間（Tw）経過したら、ＰＳＥ１０１は通信制御部１０２から通信Port１０６の信号線に対してLink-Pulseの送信を再開し（Ｓ３０８、Ｓ３０９）、通信リンクの確立（Link-up）を行う（Ｓ３１０）。
【００２３】
次に、前述した外部装置１０９が有効なPD２０２の場合の動作シーケンス、PoE動作のシーケンスとLink-Pulse停止時間の対応を図４、図５を用いて以下に説明する。
ＰＳＥ１０１は、起動されると通信制御部１０２から通信Port１０６の信号線に対してLink-Pulseの送信を開始する（Ｓ４０１）。
【００２４】
Ｓ４０１と同時に、ＰＳＥ１０１はPoE制御部１０３から通信Port１０６の信号線、または空き線に対して検出電圧（Vdet）を時間（Tdet）印加し、接続された外部装置１０９の検出を開始する（Ｓ４０２）。
【００２５】
Ｓ４０２で有効（Valid）なPD２０２が検出された時点（Ｓ４０４）で、ＰＳＥ１０１はLink-Pulse送信を停止する（Ｓ４０５）。また、これと同時に、PD２０２の起動時間を加味したLink-Pulse停止時間（Tw）を設定し、時間計測部１０４をスタートさせる。
前述したLink-Pulse停止時間（Tw）は、Class検出（Ｓ４０６）とClass応答（Ｓ４０７）にかかる時間（Tclass）と、PD起動時間を加味して以下の時間設定とする。
Tw≧Tclass+（PD起動時間）
【００２６】
ＰＳＥ１０１はLink-Pulseを停止した後、PD２０２のClass検出処理を行う（Ｓ４０６、Ｓ４０７）。Ｓ４０６、Ｓ４０７のクラス検出処理とは、時間Tclassに電圧Vclassを印加して、Vclassに対応した電流を検出することでPD２０２の要求電力を検出する処理である。
Ｓ４０６、Ｓ４０７のクラス検出処理終了後、ＰＳＥ１０１はPoE制御部１０３から動作電圧（Vop）を通信Port１０６の信号線、または空き線に対して印加する（Ｓ４０８）。
【００２７】
PoE制御部１０３で発生した動作電圧（Vop）は電力供給部１０５で信号線、または空き線に重畳される。Ｓ４０８の時点では、設定されたLink-Pulse停止時間（Tw）によりLink-Pulseは停止状態となっている。
ＰＳＥ１０１は、Link-Pulse停止時間（Tw）経過後にLink-Pulseの再送信を開始する（Ｓ４０９）。Ｓ４０９のLink-Pulseの再送信により通信リンクの確立（Link-up）が行われる（Ｓ４１０）。
【００２８】
前述のように、接続された外部装置１０９が有効なPD２０２の場合、図５に示すように、PD２０２の起動時間とPoEのClass検出に要する時間においては、Link-Pulseを停止する。これにより、PD２０２とＰＳＥ１０１との間で、PD２０２の起動時間前に通信リンクの確立（Link-up）が行われない。このため、通信リンクで無駄な電力消費が発生しなくなる。
【００２９】
次に、外部装置１０９が無効なNon-PD２０３である場合のＰＳＥ１０１の動作シーケンスを図６のシーケンス図を用いて以下に説明する。
ＰＳＥ１０１は、起動されると通信制御部１０２から通信Port１０６の信号線に対してLink-Pulseの送信を開始する（Ｓ６０１）。
Ｓ６０１と同時にＰＳＥ１０１は、PoE制御部１０３から通信Port１０６の信号線、または空き線に対して検出電圧（Vdet）を時間（Tdet）印加し、接続された外部装置１０９の検出を開始する（Ｓ６０２）。
【００３０】
Ｓ６０３で無効（Invalid）なNon-PD２０３であることが検出された場合は、Link-Pulseを停止しないで、通信リンクの確立（Link-up）が行われる（Ｓ６０４）。これにより、自己で電源を有していることにより、起動時間を考慮する必要のない外部装置（Non-PD２０３）に対しては通信リンク確立を優先させることができる。
【００３１】
（第２の実施形態）
以下、図２、図７〜図１０を参照して、本発明の第２の実施形態による、電力供給装置の動作について説明する。
図７は、本実施形態の電力供給システムの構成例を示すブロック線図である。
図７において、７０１は通信機能と電力供給機能を持つPSE（PoE-Hub）である。７０２ａ、７０２ｂは第nの通信制御部であり、通信の制御を行う。７０３ａは第１のPoE制御部、７０３ｂは第nのPoE制御部であり、接続された第１の外部装置７１０ａ、第nの外部装置７１０ｂの検出、電力供給を制御する。
【００３２】
７０４ａは第１の時間計測部、７０４ｂは第ｎの時間計測部であり、通信リンク確立までの時間を計測するための時間計測部である。７０５ａは第１の電力供給部、７０５ｂは第ｎの電力供給部であり、PoE制御部７０３で発生した電圧を空き線、または通信線に重畳するための電力供給を行うためのものである。７０６ａは第１の通信Port、７０６ｂは第ｎの通信Port（RJ45）である。
【００３３】
ＰＳＥ７０１は、第１〜第ｎの通信制御部７０２、第１〜第ｎのPoE制御部７０３、第１〜第ｎの時間計測部７０４、第１〜第ｎの電力供給部７０５、第１〜第ｎの通信Port７０６を持つ複数（N≧1）の通信モジュール７０７ａ、７０７ｂから構成される。
【００３４】
７０８は、複数の通信モジュール７０７に接続された複数の外部装置７１０の情報を登録したPort情報記憶部である。
７０９ａ、７０９ｂはLANケーブル、７１０ａ第１の外部装置、７１０ｂは第nの外部装置（ネットワークカメラ）であり、LANケーブル７０９を介してＰＳＥ７０１に接続される。
【００３５】
次に、図１０のフローチャートを参照しながら第２の実施形態の電力供給システムの動作を説明する。このフローチャートの処理は、図示しないＲＯＭに記憶されたプログラムをＲＡＭに展開し、ＣＰＵが実行することにより実現する。
ＰＳＥ７０１は、起動されると通信制御部７０２から通信Port７０６の信号線に対してLink-Pulseの送信を開始する（Ｓ１００１）。
Ｓ１００１と同時に、ＰＳＥ７０１はPoE制御部７０３から通信Port７０６の信号線、または空き線に対して検出電圧（Vdet）を時間Tdet印加し、接続された外部装置７１０の検出を開始する（Ｓ１００２）。PoE制御部７０３で発生した検出電圧（Vdet）は、電力供給部７０５で信号線、または空き線に重畳される。
【００３６】
Ｓ１００２で外部装置７１０の検出が無い場合は一定周期で検出電圧（Vdet）を時間Tdet印加し、外部装置７１０の接続検出を続ける（Ｓ１００３）。この間は、Link-Pulseの送信（Ｓ１００１）は継続される。
【００３７】
Ｓ１００３で外部装置７１０が検出された場合、検出電圧（Vdet）に対する電流値を測定し、接続された外部装置７１０が有効なPD２０２であるか無効なＰＤ（Non-PD）２０３であるかを判定する供給可否判定処理を行う（Ｓ１００４）。
Ｓ１００４で、接続された外部装置７１０がNon-PD２０３の場合、ＰＳＥ７０１はLink-Pulseの送信（Ｓ１００１）は継続し、通信リンクの確立（Link-up）を行う（Ｓ１００６）。Ｓ１００４で接続された外部装置７１０がPD２０２の場合、ＰＳＥ７０１はPort情報記憶部７０８を参照する（Ｓ１００５）。Port情報記憶部７０８は、図８に示すように各Portと、これらのPortに接続された外部装置７１０の端末種別、PD起動時間などを記憶する。
【００３８】
Ｓ１００５で、Port情報記憶部７０８にＰＤの起動時間（Tw1）が登録されている場合、Tw1の間Link-Pulseの送信を停止する（Ｓ１００７）。
ＰＳＥ７０１は、Ｓ１００７でLink-Pulseの送信を停止した後、PD２０２のクラス検出処理を行い（Ｓ１００８）、PD２０２に対して電力供給を開始する（Ｓ１００９）。Ｓ１００８のクラス検出処理とは、時間Tclassの間電圧Vclassを印加してVclassに対応した電流を検出することでPD２０２の要求電力を検出する処理である。
ＰＳＥ７０１は、Tw1経過後にLink-Pulseを再送信し（Ｓ１０１０）、通信リンクの確立（Link-up）を行う（Ｓ１００６）。
【００３９】
ＰＳＥ７０１は、Ｓ１００５でPort情報記憶部７０８にＰＤの起動時間が登録されていない場合、通信リンク確立までの時間を計測するための時間計測部７０４を起動（タイマースタート）する（Ｓ１０１１）。ＰＳＥ７０１は、Ｓ１０１１で時間計測部７０４を起動した後、PD２０２のクラス検出処理を行い（Ｓ１０１２）、PD２０２に対して電力供給を開始する（Ｓ１０１３）。Ｓ１０１２のクラス検出処理とは、時間Tclassの間電圧Vclassを印加してVclassに対応した電流を検出することでPD２０２の要求電力を検出する処理である。
ＰＳＥ７０１は、外部装置７１０との通信が可能な状態であるか否かを判定する通信可否判定を行い、通信リンクが確立するまでの時間を計測する（Ｓ１０１４、Ｓ１０１５）。
【００４０】
図９に、PD２０２とＰＳＥ７０１間におけるPoEシーケンス（PD検出、Class検出、給電）と、PD２０２が起動した後の通信リンク（L1、L2、L3）確立シーケンスの一例を示す。
【００４１】
OSIのモデルを参照すると、通信リンクの確立には物理層（L1）、データリンク層（L2）、ネットワーク層（L3）が定義されている。これらの物理層（L1）、データリンク層（L2）の通信リンクは、Point to Point（物理的に接続された２点間）であり、本実施形態におけるＰＳＥ７０１と外部装置７１０間の通信リンクに該当する。
【００４２】
外部装置７１０がネットワークカメラのように、ネットワークを介して外部の記憶装置にデータを送る場合、PDが起動してから実際のデータ通信が可能となるのはL3（End to End）での通信リンク確立までの時間と考えることができる。したがって、PD２０２の検出からネットワーク層（L3）の通信リンク確立までの時間をLink-Pulse停止時間（Tw0）とすることも可能である。
【００４３】
通信リンクが確立（Link-up）したならば時間計測部７０４を停止し（Ｓ１０１６）、Port情報記憶部７０８のPD起動時間に計測した値を書き込みPort情報記憶部７０８の更新を行う（Ｓ１０１７）。
これにより、起動時間が不明なPD２０２に対しても、２回目以降の接続時にPD２０２の起動時間を加味したLink-Pulseの停止が可能となる。
【００４４】
（第３の実施形態）
以下、図１、図１２を参照して、本発明の第３の実施形態による、電力供給装置の動作について説明する。
ＰＳＥ１０１は、起動されるとPoE制御部１０３から通信Port１０６の信号線、または空き線に対して検出電圧（Vdet）を時間Tdet印加し接続された外部装置１０９の検出を開始する（Ｓ１２０１）。PoE制御部１０３で発生した検出電圧（Vdet）は電力供給部１０５で信号線、または空き線に重畳される。
【００４５】
Ｓ１２０１で、外部装置１０９の検出が無い場合は一定周期で検出電圧（Vdet）を時間Tdet印加し外部装置１０９の接続検出を続ける（Ｓ１２０２）。
Ｓ１２０２で、外部装置１０９が検出された場合、検出電圧（Vdet）に対する電流値を測定し、接続された外部装置１０９が有効なPD２０２であるか無効なＰＤ（Non-PD）２０３であるかを判定する（Ｓ１２０３）。
【００４６】
Ｓ１２０３で、接続された外部装置１０９がNon-PD２０３の場合、ＰＳＥ１０１はLink-Pulseの送信を開始し（Ｓ１２０７）、通信リンクの確立（Link-up）を行う（Ｓ１２０８）。
Ｓ１２０３で、接続された外部装置１０９がPD２０２で有る場合、PD２０２のクラス検出処理（Ｓ１２０４）を実施し、電力供給を開始する（Ｓ１２０５）。Ｓ１２０４のクラス検出処理とは、時間Tclassの間電圧Vclassを印加してVclassに対応した電流を検出することでPD２０２の要求電力を検出する処理である。
【００４７】
Ｓ１２０５の処理が完了したならば、ＰＳＥ１０１は時間計測部１０４を起動し、PD２０２の起動時間経過するまで待機する（Ｓ１２０６）。起動時間経過後、Link-Pulseの送信を開始し（Ｓ１２０７）、通信リンクの確立（Link-up）を行う（Ｓ１２０８）。
【００４８】
その後、ＰＳＥ１０１はPower-Linkの監視状態に遷移する（Ｓ１２０９）。Ｓ１２０９でのPower-Link監視状態とは、供給電流を測定し電流値が規定された値以下となることでPD２０２の動作停止、PD２０２がLANケーブル１０８から抜かれたことの検出を行うことである。
【００４９】
Ｓ１２１０で、Power-Linkが切断を監視し、Power-Linkが切断された場合、ＰＳＥ１０１はLink-Pulseの送信を停止し（Ｓ１２１１）、Ｓ１２０１に遷移する。
これにより、PD２０２が動作停止、或いはLANケーブル１０８から抜かれた時にLink-Pulseの送信を停止することが可能となり、低消費電力化が可能となる。
【００５０】
図１１に、PoE給電のみで動作するネットワークカメラの構成例を示す。
図１１において、１１０１はネットワークカメラ本体、１１０２は全体の制御を行うシステム制御部、１１０３はデータリンク層（Mac層）以上の通信制御を行う通信制御部、１１１０は物理層（L1）での通信路を確立するためのPHYチップである。
【００５１】
１１０４はレンズ、撮像系を含むカメラ部（撮像部）、１１０５はPoEの受電制御を行うPoE受電部、1１０６はＰＳＥ１１０８からLANケーブル１１０９を介して給電された電圧を分離するための電力供給部である。
１１０７は、LANコネクタ（RJ45）、１１０９はLANケーブル、１１０８は通信機能を有するPoe給電装置（ＰＳＥ）である。
【００５２】
ＰＳＥ１１０８からLANケーブル１１０９を介して給電された電圧は、電力供給部1１０６で分離されPoE受電部１１０５に送られる。
PoE受電部１１０５を介してＰＳＥ１１０８から受電した電圧（36V-57V）は、電源部１１１１で各部の電圧に変換される。
【００５３】
電源部１１１１から供給された電圧により、システム制御部１１０２、通信制御部１１０３、カメラ部１１０４、PHYチップ１１１０が起動される。
システム制御部１１０２は、最初に自身の初期化を実施した後、通信制御部１１０３の初期化、PHYチップ１１１０のReset解除、カメラ部１１０４の初期化を行う。
【００５４】
Link-Pulseを用いての通信リンク確立は、PHYチップ１１１０のReset解除時点で可能となるため、カメラ部１１０４の初期化完了前に通信リンクは確立する。カメラ部１１０４の初期化が完了した時点で本来のデータ転送（画像データ送信）が可能となる。
以上、本発明の好ましい実施形態について説明したが、本発明はこれらの実施形態に限定されず、その要旨の範囲内で種々の変形及び変更が可能である。
【００５５】
（その他の実施形態）
また、本発明は、以下の処理を実行することによっても実現される。即ち、前述した実施形態の機能を実現するソフトウェア（コンピュータプログラム）を、ネットワークまたは各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５６】
１０１  通信機能と電力供給機能を持つPoE（Power Sourcing Equipment）
１０２ａ  第１の通信制御部
１０２ｂ  第ｎの通信制御部
１０３ａ  第１のPoE制御部
１０３ｂ  第ｎのPoE制御部
１０４ａ  第１の時間計測部
１０４ｂ  第ｎの時間計測部
【図１】
2014207530.tif 000003
【図２】
2014207530.tif 000004
【図３】
2014207530.tif 000005
【図４】
2014207530.tif 000006
【図５】
2014207530.tif 000007
【図６】
2014207530.tif 000008
【図７】
2014207530.tif 000009
【図８】
2014207530.tif 000010
【図９】
2014207530.tif 000011
【図１０】
2014207530.tif 000012
【図１１】
2014207530.tif 000013
【図１２】
2014207530.tif 000014